(57)【特許請求の範囲】
【請求項１】
回転軸を中心に回転する略円筒状のロータホルダと、
前記ロータホルダの内周面に固定された界磁用磁石と、
前記ロータホルダの外周面に固定され、外周面に複数の羽根を有する略円筒状のインペラカップと、
前記ロータホルダを軸受部及び軸受保持部を介して回転可能に支持するベース部と、
前記軸受保持部に支持されたステータ部とを備え、
前記ベース部は、外周縁部において、軸方向上方に伸びる外周壁を有し、
前記ベース部外周壁の上端部と、前記インペラカップの外周部の下端部との間に、ラビリンス構造を構成する間隙が形成されており、
前記インペラカップは、前記インペラカップ外周部の径方向内側に、軸方向に伸びる円筒部を備え、
前記円筒部の下端部は、前記ベース部外周壁の上端部よりも軸方向下方に位置しており、
前記インペラカップ外周部は、軸方向下方に向かうに従い、中心軸から離れるように傾斜している、送風ファン。
【請求項２】
回転軸を中心に回転する略円筒状のロータホルダと、
前記ロータホルダの内周面に固定された界磁用磁石と、
前記ロータホルダの外周面に固定され、外周面に複数の羽根を有する略円筒状のインペラカップと、
前記ロータホルダを軸受部及び軸受保持部を介して回転可能に支持するベース部と、
前記軸受保持部に支持されたステータ部とを備え、
前記ベース部は、外周縁部において、軸方向上方に伸びる外周壁を有し、
前記ベース部外周壁の上端部と、前記インペラカップの外周部の下端部との間に、ラビリンス構造を構成する間隙が形成されており、
前記ロータホルダの外周部の下端部は、前記ベース部外周壁の上端部よりも軸方向下方に位置しており、
前記インペラカップは、前記インペラカップ外周部の径方向内側に、軸方向に伸びる複数のリブを備えている、送風ファン。
【請求項３】
回転軸を中心に回転する略円筒状のロータホルダと、
前記ロータホルダの内周面に固定された界磁用磁石と、
前記ロータホルダの外周面に固定され、外周面に複数の羽根を有する略円筒状のインペラカップと、
前記ロータホルダを軸受部及び軸受保持部を介して回転可能に支持するベース部と、
前記軸受保持部に支持されたステータ部とを備え、
前記ベース部は、外周縁部において、軸方向上方に伸びる外周壁を有し、
前記ベース部外周壁の上端部と、前記インペラカップの外周部の下端部との間に、ラビリンス構造を構成する間隙が形成されており、
前記ロータホルダの外周部の下端部は、前記ベース部外周壁の上端部よりも軸方向下方に位置しており、
前記インペラカップは、前記インペラカップ外周部の径方向内側に、軸方向に伸びる円筒部を備えている、送風ファン。
【請求項４】
回転軸を中心に回転する略円筒状のロータホルダと、
前記ロータホルダの内周面に固定された界磁用磁石と、
前記ロータホルダの外周面に固定され、外周面に複数の羽根を有する略円筒状のインペラカップと、
前記ロータホルダを軸受部及び軸受保持部を介して回転可能に支持するベース部と、
前記軸受保持部に支持されたステータ部とを備え、
前記ベース部は、外周縁部において、軸方向上方に伸びる外周壁を有し、
前記ベース部外周壁の上端部と、前記インペラカップの外周部の下端部との間に、ラビリンス構造を構成する間隙が形成されており、
前記インペラカップは、前記インペラカップ外周部の径方向内側に、軸方向に伸びる複数のリブを備え、
前記複数のリブの下端部は、前記ベース部外周壁の上端部よりも軸方向下方に位置している、送風ファン。
【請求項５】
請求項２または３に記載の送風ファンにおいて、
前記インペラカップ外周部が、軸方向下方に向かうに従い、中心軸から離れるように傾斜している、送風ファン。
【請求項６】
請求項１に記載の送風ファンにおいて、
前記円筒部と前記インペラカップ外周部とを接続する複数の補強用リブが、周方向に配置されている、送風ファン。
【請求項７】
請求項６に記載の送風ファンにおいて、
前記補強用リブは、周方向においてほぼ等間隔で配置されている、送風ファン。
【請求項８】
請求項１から７のいずれか１項に記載の送風ファンにおいて、
前記ベース部外周壁の上端部及び前記インペラカップ外周部の下端部の前記間隙を介して対向する各対向面は、略同一の傾斜角をもって、径方向内方に向かうに従い軸方向上方に傾斜している、送風ファン。
【請求項９】
請求項１から８のいずれか１項に記載の送風ファンにおいて、
前記羽根の下端部の一部は、前記ベース部外周壁の径方向外方において、軸方向下方に伸びる延伸部を備えている、送風ファン。
【請求項１０】
回転軸を中心に回転する略円筒状のロータホルダと、
前記ロータホルダの内周面に固定された界磁用磁石と、
前記ロータホルダの外周面に固定され、外周面に複数の羽根を有する略円筒状のインペラカップと、
前記ロータホルダを軸受部及び軸受保持部を介して回転可能に支持するベース部と、
前記軸受保持部に支持されたステータ部とを備え、
前記ベース部は、外周縁部において、軸方向上方に伸びる外周壁を有し、
前記ベース部外周壁の上端部と、前記インペラカップの外周部の下端部との間に、ラビリンス構造を構成する間隙が形成されており、
前記インペラカップは、前記インペラカップ外周部の径方向内側に、軸方向に伸びる円筒部を備え、
前記円筒部の下端部は、前記ベース部外周壁の上端部よりも軸方向下方に位置しており、
前記羽根の回転により軸方向上方から軸方向下方に向けて気流が発生するよう構成され、
前記ベース部外周壁の上端部及び前記インペラカップ外周部の下端部の前記間隙を介して対向する各対向面は、略同一の傾斜角をもって、径方向内方に向かうに従い軸方向上方に傾斜している、送風ファン。
【発明の詳細な説明】
【技術分野】
【０００１】
本発明は、防水・防塵機構を備えた送風ファンに関する。
【背景技術】
【０００２】
軸流ファンまたは遠心ファンなどの送風ファンは、複数の羽根を備えたインペラと、インペラを回転させるモータと、モータの回転制御を行う回路基板とが、ハウジング内に収容された構成になっている。
【０００３】
送風ファンの使用環境によっては、外部からハウジング内に水分や塵等が侵入するおそれがあり、モータや回路基板に水分や塵が入り込むと、モータが故障して、送風ファンが動作しなくなる問題が生じる。
【０００４】
このような問題に対して、特開平１０−１９１６１１号公報には、モータのステータ部や回路基板を樹脂でモールドする技術が記載されている。
【０００５】
しかしながら、この技術は、樹脂モールドの成形に時間やコストがかかるため、送風ファンにおける、コストの上昇を招く。
【０００６】
そこで、特開２０００−１１０７７３号公報には、インペラカップの開口側端部と、モータサポータの外側壁部の開口側端部との隙間に、ラビリンス構造を設ける技術が記載されている。
【特許文献１】特開平１０−１９１６１１号公報
【特許文献２】特開２０００−１１０７７３号公報
【発明の概要】
【発明が解決しようとする課題】
【０００７】
しかしながら、特開２０００−１１０７７３号公報では、ラビリンス構造を構成する間隙に加えて、モータサポータに筒状の内側壁部を設けるとともに、内側壁部の開口側端部に環状のフランジを設ける必要があり、送風ファンの構造が複雑になるという問題がある。
【０００８】
本発明は、簡単な構成で、優れた防水・防塵機構を備えた送風ファンの提供を目的とする。
【課題を解決するための手段】
【０００９】
本発明の一側面における送風ファンは、回転軸を中心に回転する略円筒状のロータホルダと、ロータホルダの内周面に固定された界磁用磁石と、ロータホルダの外周面に固定され、外周面に複数の羽根を有する略円筒状のインペラカップと、ロータホルダを軸受部及び軸受保持部を介して回転可能に支持するベース部と、軸受保持部に支持されたステータ部とを備え、ベース部は、外周縁部において軸方向上方に伸びる外周壁を有し、ベース部外周壁の上端部と、インペラカップの外周部の下端部との間に、ラビリンス構造を構成する間隙が形成されており、インペラカップは、インペラカップ外周部の径方向内側に、軸方向に伸びる円筒部を備え、円筒部の下端部は、ベース部外周壁の上端部よりも軸方向下方に位置している。
【００１０】
本発明の他の側面において、円筒部の下端部をベース部外周壁の上端部よりも軸方向下方に位置させる代わりに、ロータホルダの外周部の下端部をベース部外周壁の上端部よりも軸方向下方に位置させてもよい。
【００１１】
また、本発明の他の側面において、円筒部の下端部をベース部外周壁の上端部よりも軸方向下方に位置させる代わりに、インペラカップ外周部の径方向内側に、軸方向に伸びるロータホルダ圧入用の複数のリブを設け、複数のリブの下端部をベース部外周壁の上端部よりも軸方向下方に位置させてもよい。
【００１２】
このような構成により、ベース部外周壁の上端部とインペラカップ外周部の下端部との隙間にラビリンス構造を設けることに加え、ベース部外周壁とロータホルダ外周部との隙間に第２ラビリンス構造を設けることができる。これにより、簡単な構成で、二重のラビンリンス構造を有する防水・防塵機構を備えた送風ファンを実現できる。
【発明の効果】
【００１３】
本発明によれば、簡単な構成で、優れた防水・防塵機構を備えた送風ファンを実現できる。
【図面の簡単な説明】
【００１４】
【図１】本発明の第１実施形態における送風ファンの構成を、模式的に示した断面図である。
【図２】図１に示したベース部外周壁の近傍を拡大した部分断面図である。
【図３】（ａ）〜（ｈ）は、ベース部上端部とインペラカップ下端部との対向面の形態を示した部分断面図である。
【図４】（ｇ）、（ｈ）に示した対向面の傾斜角度を示した部分断面図である。
【図５】本発明の第２実施形態における送風ファンのモータ部の構成を示した半断面図である。
【図６】第２実施形態におけるインペラカップを下方から見た平面図である。
【図７】第２実施形態の変形例における送風ファンのモータ部の構成を示した半断面図である。
【図８】第２実施形態のその他の変形例における送風ファンのモータ部の構成を示した半断面図である。
【図９】第２実施形態のその他の変形例におけるインペラカップを下方から見た平面図である。
【図１０】本発明の他の実施形態における送風ファンのモータ部の構成を示した断面図である。
【図１１】他の実施形態におけるベース部の構成を示した斜視図である。
【図１２】他の実施形態におけるインシュレータの構成を示した斜視図である。
【図１３】他の実施形態における回路基板の構成を示した平面図である。
【図１４】（ａ）は、他の実施形態の変形例におけるベース部の構成を示した斜視図で、（ｂ）はその部分拡大図である。
【発明を実施するための形態】
【００１５】
以下、本発明の実施形態を図面に基づいて詳細に説明する。なお、本実施形態における説明では、便宜上、各図面における軸方向に沿った上下方向を「上下方向」とするが、実際の取付状態における方向を意味するものではない。また、本実施形態における説明では、回転軸に平行な方向を「軸方向」とし、回転軸を中心とする半径方向を「径方向」としている。なお、本発明は、以下の実施形態に限定されるものではない。また、本発明の効果を奏する範囲を逸脱しない範囲で、適宜変更は可能である。さらに、他の実施形態との組み合わせも可能である。
【００１６】
（第１実施形態）
図１は、本発明の第１実施形態における送風ファン１００の構成を、模式的に示した断面図である。なお、本実施形態では、軸流ファンを例に説明するが、本発明は遠心ファンにももちろん適用できる。
【００１７】
図１に示すように、回転軸Ｊを中心に回転する略円筒状のロータホルダ１０の外周面に、略円筒状のインペラカップ１２が固定されている。また、インペラカップ１２は、その外周面に複数の羽根１３を有している。ロータホルダ１０は、シャフト１４、ボールベアリングからなる軸受部１５、及び軸受保持部１６を介して、ベース部１８に回転可能に支持されている。また、ロータホルダ１０の内周面には界磁用磁石１１が固定され、軸受保持部１６にはステータ１７が固定されている。また、ベース部１８は、外周縁部において、軸方向上方に伸びる外周壁１８ａを有している。ベース部１８とステータ１７との間には、モータの回転駆動を制御する回路基板１９が配設されている。
【００１８】
図２は、図１に示したベース部外周壁１８ａの近傍を拡大した部分断面図である。図２に示すように、ベース部外周壁１８ａの上端部１８ｂと、インペラカップ外周部１２ａの下端部１２ｂとの間に、第１ラビリンス構造を構成する間隙３０が形成されている。また、ロータホルダ外周部１０ａの下端部１０ｂは、ベース部外周壁１８ａの上端部１８ｂよりも軸方向下方に位置している。これにより、ベース部外周壁１８ａと、ロータホルダ外周部１０ａとの間隙３１で、第２ラビリンス構造が構成される。
【００１９】
このように、間隙３０で構成された第１ラビリンス構造は、ベース部外周壁１８ａとインペラカップ外周部１２ａの各径方向及び軸方向の相対的な位置を、所定の位置に設定するだけで容易に形成できる。さらに、間隙３１で構成された第２ラビリンス構造についても、ベース部外周壁１８ａとロータホルダ外周部１０ａの各径方向及び軸方向の相対的な位置を、所定の位置に設定するだけで容易に形成できる。これにより、簡単な構成で、二重のラビンリンス構造を有する防水・防塵機構を備えた送風ファンを実現できる。
【００２０】
ここで、本発明における「ラビリンス構造」とは、「間隙」を介して内外に通じる流路が屈曲した構造をなすものを云う。このような屈曲した流路を流れる流体は、圧力損失が大きくなって流路抵抗が増加するため、シール効果が得られる。このシール効果により、外部からハウジング内に侵入した水分や塵等が、モータや回路基板１９に入り込むのを防止できる。なお、「間隙」の大きさや、流路の屈曲形状は、送風ファンの使用状況等を考慮して適宜定めればよい。
【００２１】
また、送風ファンが回転すると、間隙３０の径方向外方（羽根１３側）は、径方向内方（回路基板１９側）より負圧となるため、径方向内方に一度入り込んだ水分や塵を、径方向外方に吸い出す効果も得られる。
【００２２】
また、軸流ファンにおいては、羽根１３の回転により、軸方向上方から軸方向下方に向けて気流が発生する。そのため、図２に示すように、ベース部外周壁１８ａの上端部１８ｂ及びインペラカップ外周部１２ａの下端部１２ｂの間隙３０を介して対向する対向面１８ｃ、１２ｃは、略同一の傾斜角をもって、径方向内方に向かうに従い軸方向上方に傾斜していることが好ましい。これにより、気流の方向と逆方向の流路が形成されるため、シール効果をより発揮できる。
【００２３】
なお、各対向面１８ｃ、１２ｃにおける傾斜面は、少なくとも、ベース部外周壁１８ａの上端部１８ｂ及びインペラカップ外周部１２ａの下端部１２ｂの一部の面に形成されていればよく、その形態は特に制限されない。図３（ａ）〜（ｈ）は、対向面１８ｃ、１２ｃの種々の形態を例示的に示した部分断面図である。なお、図中の矢印は、気流の方向を示す。各対向面１８ｃ、１２ｃにおける傾斜面は、図３（ａ）に示すように、対向面１８ｃ、１２ｃ全体に亘って形成されていても、あるいは、図３（ｂ）〜（ｆ）に示すように、各対向面１８ｃ、１２ｃの一部に形成されていてもよい。ここで、図３（ｂ）〜（ｄ）は、傾斜面が１箇所に形成された場合、図３（ｅ）、（ｆ）は、傾斜面が２箇所に形成された場合をそれぞれ示す。また、図３（ｇ）、（ｈ）に示すように、傾斜面はＲ形状をなしていてもよい。さらに、各対向面１８ｃ、１２ｃの傾斜角度は、軸方向に対して、２０°〜５０°の範囲にあることが好ましい。ここで、傾斜面が図３（ｇ）、（ｈ）に示すようなＲ形状の場合には、各対向面１８ｃ、１２ｃの傾斜角度は、図４（ａ）、（ｂ）に示すように、線分ＡＢが軸方向に対してなす角度θをいう。また、本実施形態において、図３（ａ）〜（ｈ）に示すように、インペラカップ外周部１２ａの下端部１２ｂが、ベース部外周壁１８ａの上端部１８ｂよりも軸方向下方に位置する場合、よりシール効果を高めることができる。さらに、インペラカップ外周部１２ａの下端部１２ｂが、全周にわたって、ベース部外周壁１８ａの上端部１８ｂよりも軸方向下方に位置する場合、さらなるシール効果が期待できる。
【００２４】
また、ロータホルダ外周部１０ａの下端部１０ｂは、回路基板１９の近傍まで延出していることが好ましい。これにより、ベース部外周壁１８ａとロータホルダ外周部１０ａとの間隙３１を長くできるため、シール効果をより発揮できる。
【００２５】
さらに、図１に示すように、羽根１３の下端部の一部は、ベース部外周壁１８ａの径方向外方において、軸方向下方に伸びる延伸部１３ａを備えていてもよい。これにより、風量または静圧の増加、若しくは低騒音化等、特性要求に応じた自由度の高い羽根形状の設計ができる。加えて、図２に示すように、羽根１３の下端部の一部が、ベース部外周壁１８ａの径方向外方において、ベース部外周壁１８ａの上端部１８ｂよりも軸方向下方に伸びる延伸部１３ａ備えることにより、回転する羽根１３の延伸部１３ａとベース部外周壁１８ａとの間隙３２より、第３ラビリンス構造が構成される。これにより、シール効果をより発揮できる。
【００２６】
また、図１に示すように、ベース部外周壁１８ａの外側部におけるベース最大径方向寸法Ｌ１が、インペラカップ外周部１２ａの外側部におけるインペラカップ最大径方向寸法Ｌ２と略等しい、もしくはベース最大径方向寸法Ｌ１が、インペラカップ最大径方向寸法Ｌ２よりも小さければ、風量特性を悪化させず、騒音の発生を抑えつつ、高いシール効果を発揮できる。また、本実施形態におけるベース部１８は、ベース部外周壁１８ａの外側部が中心軸に略平行に伸びている形状となっているが、ベース部外周壁１８ａの外側部の径方向寸法が、軸方向上方から軸方向下方に向かうに従い小さくなるカップ形状であってもよく、この場合であっても、上述のようなＬ１、Ｌ２の関係であれば、風量特性を悪化させず、騒音の発生を抑えつつ、高いシール効果を発揮できる。
【００２７】
（第２実施形態）
インペラカップ１２は、ロータホルダ１０の外周面に固定される。インペラカップ外周部１２ａの径方向内側に、軸方向に伸びる複数のリブを設けて、インペラカップ１２にロータホルダ１０を圧入して固定する。
【００２８】
第１実施形態においては、ロータホルダ外周部１０ａの下端部１０ｂを、ベース部外周壁１８ａの上端部１８ｂよりも軸方向下方に位置させることによって、第２ラビリンス構造を構成する間隙３１を形成した。本実施形態では、ロータホルダ外周部１０ａの代わりに、複数のリブの下端部を、ベース部外周壁１８ａの上端部１８ｂよりも軸方向下方に位置させることによって、第２ラビリンス構造を構成する間隙３１を形成する。
【００２９】
図５は、本実施形態における送風ファンのモータ部の構成を示した半断面図である。また、図６は、インペラカップ１２を下方から見た平面図である。
【００３０】
図５及び図６に示すように、インペラカップ１２は、外周部１２ａの径方向内側に、軸方向に伸びる複数のリブ２０を備え、ロータホルダ１０が圧入されて固定されている。そして、複数のリブ２０の下端部２０ａは、ベース部外周壁１８ａの上端部１８ｂよりも軸方向下方に位置している。これにより、ベース部外周壁１８ａと、各リブ２０の外周面との間隙３１は、第２ラビリンス構造を構成している。なお、ベース部外周壁１８ａの上端部１８ｂとインペラカップ外周部１２ａの下端部１２ｂとの間隙３０により構成された第１ラビリンス構造は、第１実施形態と同じである。
【００３１】
本実施形態においても、このように、間隙３０で構成された第１ラビリンス構造は、ベース部外周壁１８ａとインペラカップ外周部１２ａの各径方向及び軸方向の相対的な位置を、所定の位置に設定するだけで容易に形成できる。さらに、間隙３１で構成された第２ラビリンス構造についても、ベース部外周壁１８ａとリブ２０の各径方向及び軸方向の相対的な位置を、所定の位置に設定するだけで容易に形成できる。
【００３２】
なお、図６に示すように、隣接するリブ２０間では、ベース部外周壁１８ａとの間に間隙３１が形成されない。したがって、間隙３１で構成される第２ラビリンス構造によるシール効果を高めるためには、リブ２０の周方向の幅を広くすることが好ましい。また、ロータホルダ外周部１０ａの下端部１０ｂを、リブ２０の下端部２０ａと同じ位置まで軸方向下方に伸ばしておいてもよい。これにより、隣接するリブ２０間でも、ロータホルダ外周部１０ａとベース部外周壁１８ａとの間に、間隙３１よりもリブ２０の肉厚分だけ広くなった間隙を設けることができる。その結果、第２ラビリンス構造によるシール効果をより高めることができる。リブ２０の周方向幅、径方向幅、軸方向高さは、求める効果や製品のサイズ等に応じて好適な寸法を選べばよい。
【００３３】
なお、図５及び図６に示したように、複数のリブ２０は、インペラカップ外周部１２ａの径方向内側に形成したが、図７に示すように、インペラカップ１２の外周部１２ａが、軸方向下方に向かうに従い、中心軸から離れるように傾斜してもよい。このようにすれば、図５に示したように、間隙３１を形成するリブ２０の部位の肉厚を薄くする必要がなく、ロータホルダ１０を圧入する際の強度を高めることができる。なお、このとき、リブ２０の径方向の幅は、インペラカップ外周部１２ａの傾斜に応じて、軸方向上方から軸方向下方に向かうに従い大きくなるなど、適宜変更が可能である。
【００３４】
また、本実施形態において、図３（ａ）〜（ｈ）に示すように、インペラカップ外周部１２ａの下端部１２ｂが、ベース部外周壁１８ａの上端部１８ｂよりも軸方向下方に位置する場合、よりシール効果を高めることができる。さらに、インペラカップ外周部１２ａの下端部１２ｂが、全周にわたって、ベース部外周壁１８ａの上端部１８ｂよりも軸方向下方に位置する場合、さらなるシール効果が期待できる。
【００３５】
また、第２実施形態のその他の変形例として、図７、図８、図９に示すように、ベース部外周壁１８ａの内周部と全周にわたって径方向において対向するような円筒部２３を、インペラカップ１２におけるインペラカップ外周部１２ａの径方向内側に設けてもよい。より詳しくは、円筒部２３の下端部２３ａは、ベース部外周壁１８ａの上端部１８ｂよりも軸方向下方に位置している。これにより、ベース部外周壁１８ａと、円筒部２３の外周面との間隙３１は、第２ラビリンス構造を構成している。本変形例は、全周にわたって第２ラビリンス構造が形成されているため、よりシール効果を高めることができる。このとき、複数のリブ２０を円筒部２３の径方向内側に設けてもよく、この複数のリブ２０の下端部２０ａは、ベース部外周壁１８ａの上端部１８ｂよりも軸方向下方に位置してもよく、円筒部２３の下端部２３ａよりも軸方向下方に位置してもよい。また、リブ２０の周方向幅、径方向幅、軸方向高さは、求める効果や製品のサイズ等に応じて好適な寸法を選べばよい。さらに本変形例において、ロータホルダ外周部１０ａの下端部１０ｂが、回路基板１９の近傍まで延出していてもよく、円筒部２３の下端部２３ａよりも軸方向下方に位置してもよい。また、本変形例において、羽根１３の下端部の一部は、ベース部外周壁１８ａの径方向外方において、図２のように軸方向下方に伸びる延伸部１３ａを備えていてもよい。以上のいずれの場合であっても、よりシール効果を高めることができる。また、本変形例においても、インペラカップ１２の外周部１２ａが、図７におけるインペラカップ１２の外周部１２ａのように、軸方向下方に向かうに従い、中心軸から離れるように傾斜してもよい。このとき、インペラカップ外周部１２ａの外側部において軸方向上方から軸方向下方に向かって流れる風に遠心力が加わり風速が増え、インペラカップ１２の外部が内部と比べて負圧となる。そのため、インペラカップ１２の内部から風が、間隙３０を通って外部へと排気される。その結果、さらなるシール効果が期待できる。さらに、補強用リブ２４を、インペラカップ外周部１２ａと円筒部２３との間に、周方向において放射状に略等間隔で設けることが望ましい。この補強用リブ２４により、インペラカップ１２の射出成形時の成形精度を高め、インペラカップ外周部１２ａの下端部１２ｂとベース部外周壁１８ａの上端部１８ｂとの間の間隙３０の寸法精度を高めることができる。これによって、間隙３０の寸法をより小さく維持することができ、シール効果をより高めることができる。さらには、補強用リブ２４により、回転時におけるインペラカップ１２の遠心力による径方向外側への広がりを防ぐことができる。また、本変形例においても、図３（ａ）〜（ｈ）に示すように、インペラカップ外周部１２ａの下端部１２ｂが、ベース部外周壁１８ａの上端部１８ｂよりも軸方向下方に位置する場合、よりシール効果を高めることができる。さらに、インペラカップ外周部１２ａの下端部１２ｂが、全周にわたって、ベース部外周壁１８ａの上端部１８ｂよりも軸方向下方に位置する場合、さらなるシール効果が期待できる。
【００３６】
また、図７に示すように、ベース最大径方向寸法Ｌ１が、インペラカップ最大径方向寸法Ｌ２と略等しい、もしくはベース最大径方向寸法Ｌ１が、インペラカップ最大径方向寸法Ｌ２よりも小さければ、風量特性を悪化させず、騒音の発生を抑えつつ、高いシール効果を発揮できる。また、本実施形態におけるベース部１８は、ベース部外周壁１８ａの外側部が中心軸に略平行に伸びている形状となっているが、ベース部外周壁１８ａの外側部の径方向寸法が、軸方向上方から軸方向下方に向かうに従い小さくなるカップ形状であってもよく、この場合であっても、上述のようなＬ１、Ｌ２の関係であれば、風量特性を悪化させず、騒音の発生を抑えつつ、高いシール効果を発揮できる。
【００３７】
（他の実施形態）
本発明の例示的開示では、ベース部１８の外周縁部に、軸方向上方に伸びる外周壁１８ａを形成し、その外周壁１８ａの上端部１８ｂ及び側壁部近傍に、二重のラビリンス構造を設けることによって、防水・防塵機能を発揮させるようにしたものである。
【００３８】
ところで、回路基板１９を樹脂で被覆することによって、防水・防塵機能を発揮させる技術がある。この技術は、回路基板１９の外周縁部と、ベース部外周壁１８ａとの隙間から、樹脂をポッティング注入することにより行われる。しかしながら、その隙間が狭いと、樹脂の流れが悪く、回路基板１９の裏面まで樹脂で被覆するのに長時間を要したり、あるいは、回路基板１９の裏面まで樹脂が行き渡らない場合がある。また、ポッティング注入される隙間が樹脂で塞がれると、空気の抜け路がなくなるため、内部に気泡が溜まる場合がある。
【００３９】
図１０は、樹脂をスムーズにポッティング注入できるようにした送風ファンのモータ部の構成を示した断面図である。
【００４０】
図１０に示すように、ベース部１８の内周端に、軸方向上方に伸びる内周壁１８ｄが設けられ、軸受保持部１６は、この内周壁１８ｄの内周面に固定されている。この内周壁１８ｄの一部には、図１１に示すように、肉厚を薄くした切り欠き部１８ｅが形成されている。
【００４１】
また、図１０に示すように、回路基板１９は、ステータ１７のステータコアとコイルとを絶縁するインシュレータ２１の側壁部２１ａに固定されている。このインシュレータ側壁部２１ａの一部には、図１２に示すように、軸方向に短くなったスリット２１ｂが形成されている。
【００４２】
このように、回路基板１９の内周縁部近傍に、切り欠き部１８ｅ及びスリット２１ｂを形成することによって、図１０中の矢印で示すように、回路基板１９の裏面側から表面側に抜ける空気通路を設けることができる。これにより、回路基板１９の外周縁部とベース部外周壁１８ａとの隙間がポッティング注入時に樹脂で塞がれても、空気の抜け路が確保されているため、樹脂をスムーズにする注入できるとともに、気泡の発生を防止できる。その結果、回路基板１９を短時間に、かつ確実に樹脂で被覆できる。
【００４３】
なお、ベース部内周壁１８ｄに形成される切り欠き部１８ｅは、少なくとも１箇所以上あればよい。また、インシュレータ側壁部２１ａに形成されるスリット２１ｂは、少なくとも１箇所以上あればよい。また、ベース部１８に設けられた切り欠き部１８ｅと、インシュレータ２１に設けられたスリット２１ｂとを、周方向において同じ位置に形成すれば、より大きな空気通路を確保できる。
【００４４】
回路基板１９は、図１２に示したインシュレータ２１に設けられた嵌合爪２１ｃを、図１３に示した回路基板１９の内周縁部に設けられた嵌合穴１９ａに嵌合することによって、インシュレータ２１に固定される。このとき、嵌合爪２１ｃの幅を、例えば、嵌合穴１９ａの半分にすることによって、嵌合穴１９ａの半分の領域を、ポッティング注入時の空気の抜け路とすることができる。
【００４５】
さらに、図１３に示すように、回路基板１９の外周縁部に、切り欠き１９ｂを設けることによって、ポッティング注入の隙間を大きくできる。これにより、樹脂の注入流路を確保できるため、樹脂をよりスムーズに注入できる。なお、切り欠き部１９ｂは、少なくとも１箇所以上あればよい。
【００４６】
さらに、回路基板１９の平面形状を非円形とすることによっても、回路基板１９の外周縁部とベース部外周壁１８ａとの隙間を大きくできる。これにより、樹脂の注入流路を確保できるため、樹脂をよりスムーズに注入できる。なお、回路基板１９は、例えば、正方形、長方形、ひし形などの多角形基板を用いることができる。
【００４７】
ところで、回路基板１９を樹脂で被覆するためには、外周壁１８ａを備えたカップ状ベース部１８内に、所定量の樹脂を注入する必要がある。そのため、図１４（ａ）に示すように、ベース部外周壁１８ａの内周面に、注入量を目視で監視できる監視マーク２２を設けておく。この監視マーク２２は、例えば、図１４（ｂ）に示すように、上部を三角形状にしておく。監視マーク２２の高さを、回路基板１９の配置高さに応じて予め設定しておけば、ポッティング注入された樹脂が、上部における三角形の領域内に入ったことを監視することによって、所定量の樹脂を過不足なく注入できる。また、監視マーク２２を３箇所以上設けておけば、カップ状ベース部１８の水平度も目視にて監視できるため、回路基板１９を均一な樹脂で被覆できる。
【００４８】
なお、監視マーク２２の数は特に制限されないが、好ましくは３箇所以上を周方向に略等間隔に配置すれば、より精度よく樹脂の注入量を制御できる。また、監視マーク２２の形状は三角形状に限られず、四角形状や円形状など様々な形状が採用可能である。
【００４９】
以上、本発明を好適な実施形態により説明してきたが、こうした記述は限定事項ではなく、もちろん種々の改変が可能である。例えば、上記実施形態においては、モータの軸受部１５にボールベアリングを用いたが、スリーブからなる含油軸受を用いてもよい。
【符号の説明】
【００５０】
１０      ロータホルダ
１０ａ    ロータホルダ外周部
１０ｂ    ロータホルダ下端部
１１      界磁用磁石
１２      インペラカップ
１２ａ    インペラカップ外周部
１２ｂ    インペラカップ下端部
１３      羽根
１３ａ    羽根の延伸部
１４      シリンダ
１５      軸受部
１６      軸受保持部
１７      ステータ
１８      ベース部
１８ａ    ベース部外周壁
１８ｂ    ベース部上端部
１８ｃ    ベース部内周壁
１８ｄ    ベース部内周壁の切り欠き部
１９      回路基板
１９ａ    回路基板の嵌合穴
１９ｂ    回路基板の切り欠き部
２０      リブ
２０ａ    リブ下端部
２１      インシュレータ
２１ａ    インシュレータ側壁部
２１ｂ    インシュレータ側壁部のスリット
２１ｃ    インシュレータの嵌合爪
２２      監視マーク
２３      円筒部
２３ａ    円筒部下端部
２４      補強用リブ
１００    送風ファン
【図１】
0005636788.tif 000002
【図２】
0005636788.tif 000003
【図３】
0005636788.tif 000004
【図４】
0005636788.tif 000005
【図５】
0005636788.tif 000006
【図６】
0005636788.tif 000007
【図７】
0005636788.tif 000008
【図８】
0005636788.tif 000009
【図９】
0005636788.tif 000010
【図１０】
0005636788.tif 000011
【図１１】
0005636788.tif 000012
【図１２】
0005636788.tif 000013
【図１３】
0005636788.tif 000014
【図１４】
0005636788.tif 000015